(57)【特許請求の範囲】
【請求項１】
Ａ．絶縁材によって一面が開口面とされた箱形に成形され、箱形の内底面に電気的に接離すべき一対の接点が露出して配置された絶縁ボディと、
Ｂ．この絶縁ボディの内部に一端が軸支され、他端が上記底面に対して起伏自在に支持されたレバーと、
Ｃ．導電性バネ材によって形成され、上記底面に沿って配置され上記露出された一方の接点に接触する接触部を具備した基板部と、
Ｄ．この基板部から切起されて上記絶縁ボディに起伏自在に支持されたレバーの回動遊端を上記底面から離れる方向に回動偏倚させる偏倚バネ部と、
Ｅ．この偏倚バネ部の回動遊端から上記絶縁ボディの底面に向って突出され、上記底面へ近づく方向に働く、上記レバーへの押圧がない状態において上記一対の接点の他方に接触する可動接片と、
Ｆ．上記絶縁ボディの底面に絶縁ボディと一体に成形されて上記可動接片の傾動通路に突出して形成され、上記底面へ近づく方向に働く、上記レバーへの押圧により上記可動接片が上記偏倚バネ部と共に傾動するとき、上記可動接片と係合して上記可動接片の遊端を上記接点との接触から解除させる絶縁突起と、
Ｇ．上記レバーの回動遊端に形成された押釦と、
Ｈ．この押釦を貫通させる開口を具備し、上記絶縁ボディの開口面を蓋する金属カバーと、
によって構成したことを特徴とする押釦スイッチ。
【発明の詳細な説明】
【０００１】
【発明の属する技術分野】
この発明は例えば携帯電話器或はノート型パーソナルコンピュータのような小型機器の蓋の開閉状態を検出すること等に利用することができる押釦スイッチに関する。
【０００２】
【従来の技術】
従来より、蓋の開閉状況を検出するスイッチとしてリミットスイッチ等と呼ばれているスイッチが広く実用されている。このリミットスイッチと呼ばれているスイッチは可動接点の駆動方法としてバネ接片にスナップ動作させる構造のものが多い。
【０００３】
【発明が解決しようとする課題】
従来のリミットスイッチは接点の駆動構造が複雑であるため、形状を小型化できない不都合がある。また操作子（押釦）の可動ストロークも大きいため、携帯電話器或はノート型パーソナルコンピュータ等の小型機器の蓋の開閉を検出するスイッチに用いるには不向きである。
【０００４】
この発明の目的は形状が小さく、然も押釦のストロークも小さくでき、従って携帯電話器或はノート型パーソナルコンピュータの蓋の開閉を検出するスイッチとして利用して好適な押釦スイッチを提供しようとするものである。
【０００５】
【課題を解決するための手段】
絶縁材によって一面が開口面とされた箱形に成形され、箱形の内底面に電気的に接離すべき一対の接点が露出して配置された絶縁ボディと、
この絶縁ボディの内部に一端が軸支され、他端が底面に対して起伏自在に支持されたレバーと、
導電性バネ材によって形成され、底面に沿って配置され露出された一方の接点に接触する接触部を具備した基板部と、
この基板部から切起されて絶縁ボディに起伏自在に支持されたレバーの回動遊端を底面から離れる方向に回動偏倚させる偏倚バネ部と、
この偏倚バネ部の回動遊端から絶縁ボディの底面に向って突出され、一対の接点の他方に接触する可動接片と、
絶縁ボディの底面に絶縁ボディと一体に成形されて可動接片の傾動通路に突出して形成され、可動接片が偏倚バネ部と共に傾動するとき、可動接片と係合して可動接片の遊端を接点との接触から解除させる絶縁突起と、
レバーの回動遊端に形成された押釦と、
この押釦を貫通させる開口を具備し、絶縁ボディの開口面を蓋する金属カバーと、
によって押釦スイッチを構成したものである。
【０００６】
この発明の押釦スイッチによれば可動接片が絶縁突起に係合し、可動接片の接触部分が強制的に接点から引き離される。この動作により押釦は小さいストロークで接点間を開極させることができる。
更に、可動接辺と、レバーを一方向に回動偏倚させる偏倚バネ部と、可動接片と、この可動接片を一方の端子に常時接触させておく接触部とを導電性バネ材によって一体成形したから、内部の構造は簡素化され、これによって形状を小型に作ることができる。
【０００７】
【発明の実施の形態】
図１乃至図１３にこの発明による押釦スイッチの一実施例を示す。図１は押釦１が金属カバー２の開口３から突出し可動接片４がオンの状態を示す。図２は押釦１を絶縁ボディ５の内部に押込み、可動接片４をオフの状態に操作した状態を示す。ここでこの発明の特徴とするところは図２に示すように可動接片４が絶縁突起６に乗り上げて強制的にオフの状態に操作される点である。以下に各部の構造を詳細に説明する。
【０００８】
絶縁ボディ５は図４及び図５に示すように一面が開口面５Ａ（図５参照）とされた箱形に形成され、底面には図４に示すように接点７と８が露出して配置される。接点７と８は絶縁ボディ５を成形する際に接点７と８を予め樹脂成形用金型に挿入しておき、その状態で樹脂を金型に注入して絶縁ボディ５を成形するいわゆるインサート成形により絶縁ボディ５の底面に装着される。
【０００９】
接点７からは２本の端子７Ａと７Ｂを導出し、接点８からは１本の端子８Ａを導出させて例えばプリント基板等に接続できる構造とされる。５Ｂは底面５Ｃに形成した凹部を示し、この凹部５Ｂには図２に示すように偏倚バネ部９の回動遊端部に形成した補強用突起部９Ａが挿入される。
図６乃至図８に可動接片４と偏倚バネ部９と基板部１１の構造を示す。これら基板部１１と、偏倚バネ部９と可動接片４は導電性バネ材によって一体成形される。基板部１１は絶縁ボディ５の底面５Ｃに沿って配置され折曲部１１Ａを接点７に接触させ、可動接触４を接点７に電気的に接続した状態に維持させる。基板部１１の端部に折曲部１１Ｂを形成し、この折曲部１１Ｂを絶縁ボディ５の一方の短辺壁５Ｄ−３に接触させ、折曲部１１Ｂを後に説明するレバー１２の軸によって抑え付け、装着位置を固定する。
【００１０】
基板部１１から偏倚バネ部９が切起され、その遊端が基板部１１から離れた位置（図７参照）に偏倚されて保持され、この偏倚位置にレバー１２を回動偏倚させる。
レバー１２は図９及び図１０に示すように一端側に回動軸１２Ａが形成され他端側に押釦１が突出して形成される。基板部１１を絶縁ボディ５の底面５Ｃに沿わせて配置した状態でレバー１２の回動軸１２Ａを突条５Ｄ−１及び５Ｄ−２と短辺壁５Ｄ−３で囲まれた空間に挿入することによりレバー１２は偏倚バネ部９の偏倚位置に回動偏倚され、更に基板部１１は折曲部１１Ｂがレバー１２の回動軸１２Ａによって  短辺壁５Ｄ−３に抑え付けられ、基板部１１は位置が固定される。この状態で絶縁ボディ５の開口面５Ａに金属カバー２を被せ、レバー１２の抜止めをする。
【００１１】
金属カバー２は１１乃至図１３に示すように絶縁ボディ５の開口面５Ａを蓋する蓋部２Ａと、この蓋部２Ａの両側から曲折られて絶縁ボディ５の側面に係合する側面部２Ｂと、側面部２Ｂから更に延長されて絶縁ボティ５の底面に係合する底面部２Ｃとを具備して構成される。
蓋部２Ａには押釦１を突出させる開口３と、絶縁ボディ５の内部に向って突出して形成した打出２Ｄとを形成し、打出２Ｄによってレバー１２の回動軸１２Ａを抑え付け、レバー１２をガタツキなく回動操作させるように構成している。
【００１２】
以上説明した構造から明らかなように、図１に示した状態では可動接片４が接点８に接触しているから、接点７と８の間は電気的に導通状態とされる。
この状態から押釦１を押下すると、可動接片４が傾動し、その傾動通路上に絶縁突起６が配置されているから、可動接片４はこの絶縁突起６に係合し、接触部が接点８から引き離され、強制的にオフの状態に切替られる。
【００１３】
図１４はこの発明の変形実施例を示す。この実施例ではレバー１２の回動軸１２Ａを段部に係合させて絶縁ボティ５の上面側に支持させ、この回動軸１２Ａの支持位置を移動させることにより押釦１のストロークを長く得るように構成した実施例を示す。
この実施例では基板部１１の折曲部１１Ｂの一部を折返して係合部１１Ｃを形成し、この係合部１１Ｃをレバー１２の回動軸１２Ａに係合させることにより、図１５に示すオフ操作時に絶縁突起６から受ける反力によって基板部１１が時計廻り方向に回動してしまうことを阻止する構造としている。その他の構造は図１乃至図１３で説明した構造と同じである。
【００１４】
【発明の効果】
このように、この発明では可動接片４を摺動動作によって接点８に対して接離させる構造でなく、接触部分をシーソー運動させて接離させる構造としたから、レバー１２の回動量は小さくても可動接片４を接点８に対して接離させることができる。従ってオンの状態からオフの状態に切替る押釦１のストロークを小さくできる利点がある。
【００１５】
また、絶縁ボディ５の内部に装着する基板部１１と、偏倚バネ部９と、可動接片４は一枚の導電性バネ材から打抜によって形成されるから構造が簡単で、組立も容易であり、スイッチの形状も小さくできる利点が得られる。
因みに現実に本出願人が製造を予定している押釦スイッチは厚みが約２ｍｍ、長さ４ｍｍ、幅が３ｍｍ、押釦１のストロークが１ｍｍとされ、携帯電話器等の小型機器の蓋の開閉状態を検出するスイッチ或はキャッシュカードの挿入を検出するスイッチ等として利用される。
【図面の簡単な説明】
【図１】この発明による押釦スイッチのオンの状態を説明するための断面図。
【図２】この発明による押釦スイッチのオフの状態を説明するための断面図。
【図３】この発明による押釦スイッチの金属カバーを取外して絶縁ボディの内部を説明するための平面図。
【図４】この発明の押釦スイッチに用いる絶縁ボディの構造を説明するための平面図。
【図５】図４の側面図。
【図６】この発明による押釦スイッチに用いる基板部と偏倚バネ部、可動接片４の構造を説明するための平面図。
【図７】図６の側面図。
【図８】図６の正面図。
【図９】この発明に用いるレバーの構造を説明するための平面図。
【図１０】図９の側面図。
【図１１】この発明に用いる金属カバーの構造を説明するための平面図。
【図１２】図１１の側面図。
【図１３】図１１の正面図。
【図１４】この発明の変形実施例を示す断面図。
【図１５】図１４に示した実施例の動作を説明するための断面図。
【符号の説明】
１    押釦
２    金属カバー
３    開口
４    可動接片
５    絶縁ボディ
６    絶縁突起
７，８    接点
９    偏倚バネ部
１１    基板部
１２    レバー
【図１】
0004118380.tif 000002
【図２】
0004118380.tif 000003
【図３】
0004118380.tif 000004
【図４】
0004118380.tif 000005
【図５】
0004118380.tif 000006
【図６】
0004118380.tif 000007
【図７】
0004118380.tif 000008
【図８】
0004118380.tif 000009
【図９】
0004118380.tif 000010
【図１０】
0004118380.tif 000011
【図１１】
0004118380.tif 000012
【図１２】
0004118380.tif 000013
【図１３】
0004118380.tif 000014
【図１４】
0004118380.tif 000015
【図１５】
0004118380.tif 000016